(57)【特許請求の範囲】
【請求項１】
タブを有する原稿を読み取り、原稿画像を得る画像読取部と、
前記画像読取部により得られた原稿画像に対して付加画像を付与し、当該付加画像が付与された原稿画像を生成する制御部と、
を備え、
前記制御部は、前記原稿画像に対して前記タブの突出方向において前記タブを避けて前記付加画像を付与することを特徴とする画像読取装置。
【請求項２】
前記制御部は、前記タブの突出幅に基づいて、前記原稿画像に対して前記タブの突出方向において前記タブを避けて前記付加画像を付与することを特徴とする請求項１に記載の画像読取装置。
【請求項３】
ユーザからシフト幅の入力を受け付ける操作部を更に有し、
前記制御部は、前記操作部から入力されたシフト幅に基づいて、前記原稿画像に対して前記タブの突出方向において前記タブを避けて前記付加画像を付与することを特徴とする請求項１に記載の画像読取装置。
【請求項４】
前記シフト幅は、前記タブの突出幅に相当することを特徴とする請求項３に記載の画像読取装置。
【請求項５】
前記制御部は、前記付加画像を付与する位置が予め設定されておりその位置がタブ側であると判断した場合、前記付加画像のサイズを変更して前記予め設定された位置に付与することにより、前記原稿画像に対して前記タブの突出方向において前記タブを避けて前記付加画像を付与することを特徴とする請求項１又は２に記載の画像読取装置。
【請求項６】
前記制御部は、前記付加画像に使用するフォントのサイズを変更することにより、前記付加画像のサイズを変更することを特徴とする請求項５に記載の画像読取装置。
【請求項７】
画像読取部によりタブを有する原稿を読み取り、原稿画像を得る第１ステップと、
前記画像読取部により得られた原稿画像に対して前記タブの突出方向において前記タブを避けて付加画像を付与し、当該付加画像が付与された原稿画像を生成する第２ステップと、
を含むことを特徴とする画像読取方法。
【請求項８】
前記第２ステップにおいて、前記タブの突出幅に基づいて、前記原稿画像に対して前記タブの突出方向において前記タブを避けて前記付加画像を付与することを特徴とする請求項７に記載の画像読取方法。
【請求項９】
ユーザからシフト幅の入力を受け付ける第３ステップを更に含み、
前記第２ステップにおいて、前記第３ステップで入力されたシフト幅に基づいて、前記原稿画像に対して前記タブの突出方向において前記タブを避けて前記付加画像を付与することを特徴とする請求項７に記載の画像読取方法。
【請求項１０】
前記シフト幅は、前記タブの突出幅に相当することを特徴とする請求項９に記載の画像読取方法。
【請求項１１】
前記第２ステップにおいて、前記付加画像を付与する位置が予め設定されておりその位置がタブ側であると判断した場合、前記付加画像のサイズを変更して前記予め設定された位置に付与することにより、前記原稿画像に対して前記タブの突出方向において前記タブを避けて前記付加画像を付与することを特徴とする請求項７又は８に記載の画像読取方法。
【請求項１２】
前記第２ステップにおいて、前記付加画像に使用するフォントのサイズを変更することにより、前記付加画像のサイズを変更することを特徴とする請求項１１に記載の画像読取方法。
【請求項１３】
コンピュータに、
画像読取部によりタブを有する原稿を読み取り、原稿画像を得る第１ステップと、
前記画像読取部により得られた原稿画像に対して前記タブの突出方向において前記タブを避けて付加画像を付与し、当該付加画像が付与された原稿画像を生成する第２ステップと、
を実行させるためのプログラム。
【請求項１４】
前記第２ステップにおいて、前記タブの突出幅に基づいて、前記原稿画像に対して前記タブの突出方向において前記タブを避けて前記付加画像を付与することを特徴とする請求項１３に記載のプログラム。
【請求項１５】
ユーザからシフト幅の入力を受け付ける第３ステップを更に含み、
前記第２ステップにおいて、前記第３ステップで入力されたシフト幅に基づいて、前記原稿画像に対して前記タブの突出方向において前記タブを避けて前記付加画像を付与することを特徴とする請求項１３に記載のプログラム。
【請求項１６】
前記シフト幅は、前記タブの突出幅に相当することを特徴とする請求項１５に記載のプログラム。
【請求項１７】
前記第２ステップにおいて、前記付加画像を付与する位置が予め設定されておりその位置がタブ側であると判断した場合、前記付加画像のサイズを変更して前記予め設定された位置に付与することにより、前記原稿画像に対して前記タブの突出方向において前記タブを避けて前記付加画像を付与することを特徴とする請求項１３又は１４に記載のプログラム。
【請求項１８】
前記第２ステップにおいて、前記付加画像に使用するフォントのサイズを変更することにより、前記付加画像のサイズを変更することを特徴とする請求項１７に記載のプログラム。
【発明の詳細な説明】
【技術分野】
【０００１】
本発明は、タブ原稿を読み取って得られた原稿画像に付加画像を付与して出力用画像を生成する画像読取装置、画像読取方法及びプログラムに関する。
【背景技術】
【０００２】
従来、スキャナ等の画像読取装置やデジタル複合機等の画像形成装置において、タブ紙（インデックス紙とも呼ばれる）を原稿として読み取りを行う技術が知られている（例えば、特許文献１〜３参照）。タブ紙は、定型サイズの周囲の所定個所にタブと呼ばれる突起部を有した用紙であり、画像読取装置でタブ紙を読み取る際には、図１３（ａ）に示すように、タブの領域を含めて読取領域としている。図１３（ａ）の領域Ｒ１（図中実線Ｒ１で囲まれた領域）は、領域Ｒ３（図中太線Ｒ３で囲まれた領域）で示すタブ紙を原稿としたときの読取領域を示す。
【特許文献１】特開２００４−１５１８５４号公報
【特許文献２】特開２００１−３５８９３２号公報
【特許文献３】特開２００１−３５８９１３号公報
【発明の開示】
【発明が解決しようとする課題】
【０００３】
ところで、特許文献１〜３を始めとする画像読取装置や画像形成装置において、読み取った原稿画像におけるタブ側に、読み取りを行った日付、時刻、ページ番号、書類番号等を示す付加画像Ｓｔを付与して出力用画像を生成し、この出力用画像に基づきタブ紙上に画像を印刷すると、図１３（ｂ）に示すように、付加画像Ｓｔが欠けてしまう場合があった。
【０００４】
本発明の課題は、タブを有する原稿を読み取った原稿画像に付加画像を付与した画像の出力時に付加画像が欠けることを防止することである。
【課題を解決するための手段】
【０００５】
上記課題を解決するため、請求項１に記載の発明の画像読取装置は、
タブを有する原稿を読み取り、原稿画像を得る画像読取部と、
前記画像読取部により得られた原稿画像に対して付加画像を付与し、当該付加画像が付与された原稿画像を生成する制御部と、
を備え、
前記制御部は、前記原稿画像に対して前記タブの突出方向において前記タブを避けて前記付加画像を付与することを特徴としている。
【０００６】
請求項２に記載の発明は、請求項１に記載の発明において、
前記制御部は、前記タブの突出幅に基づいて、前記原稿画像に対して前記タブの突出方向において前記タブを避けて前記付加画像を付与することを特徴としている。
【０００７】
請求項３に記載の発明は、請求項１に記載の発明において、
ユーザからシフト幅の入力を受け付ける操作部を更に有し、
前記制御部は、前記操作部から入力されたシフト幅に基づいて、前記原稿画像に対して前記タブの突出方向において前記タブを避けて前記付加画像を付与することを特徴としている。
【０００８】
請求項４に記載の発明は、請求項３に記載の発明において、
前記シフト幅は、前記タブの突出幅に相当することを特徴としている。
【００１０】
請求項５に記載の発明は、請求項１又は２に記載の発明において、
前記制御部は、前記付加画像を付与する位置が予め設定されておりその位置がタブ側であると判断した場合、前記付加画像のサイズを変更して前記予め設定された位置に付与することにより、前記原稿画像に対して前記タブの突出方向において前記タブを避けて前記付加画像を付与することを特徴としている。
【００１１】
請求項６に記載の発明は、請求項５に記載の発明において、
前記制御部は、前記付加画像に使用するフォントのサイズを変更することにより、前記付加画像のサイズを変更することを特徴としている。
【００１２】
請求項７に記載の発明の画像読取方法は、
画像読取部によりタブを有する原稿を読み取り、原稿画像を得る第１ステップと、
前記画像読取部により得られた原稿画像に対して前記タブの突出方向において前記タブを避けて付加画像を付与し、当該付加画像が付与された原稿画像を生成する第２ステップと、
を含むことを特徴としている。
【００１３】
請求項８に記載の発明は、請求項７に記載の発明において、
前記第２ステップにおいて、前記タブの突出幅に基づいて、前記原稿画像に対して前記タブの突出方向において前記タブを避けて前記付加画像を付与することを特徴としている。
【００１４】
請求項９に記載の発明は、請求項７に記載の発明において、
ユーザからシフト幅の入力を受け付ける第３ステップを更に含み、
前記第２ステップにおいて、前記第３ステップで入力されたシフト幅に基づいて、前記原稿画像に対して前記タブの突出方向において前記タブを避けて前記付加画像を付与することを特徴としている。
【００１５】
請求項１０に記載の発明は、請求項９に記載の発明において、
前記シフト幅は、前記タブの突出幅に相当することを特徴としている。
【００１７】
請求項１１に記載の発明は、請求項７又は８に記載の発明において、
前記第２ステップにおいて、前記付加画像を付与する位置が予め設定されておりその位置がタブ側であると判断した場合、前記付加画像のサイズを変更して前記予め設定された位置に付与することにより、前記原稿画像に対して前記タブの突出方向において前記タブを避けて前記付加画像を付与することを特徴としている。
【００１８】
請求項１２に記載の発明は、請求項１１に記載の発明において、
前記第２ステップにおいて、前記付加画像に使用するフォントのサイズを変更することにより、前記付加画像のサイズを変更することを特徴としている。
【００１９】
請求項１３に記載の発明のプログラムは、
コンピュータに、
画像読取部によりタブを有する原稿を読み取り、原稿画像を得る第１ステップと、
前記画像読取部により得られた原稿画像に対して前記タブの突出方向において前記タブを避けて付加画像を付与し、当該付加画像が付与された原稿画像を生成する第２ステップと、
を実行させることを特徴としている。
【００２０】
請求項１４に記載の発明は、請求項１３記載の発明において、
前記第２ステップにおいて、前記タブの突出幅に基づいて、前記原稿画像に対して前記タブの突出方向において前記タブを避けて前記付加画像を付与することを特徴としている。
【００２１】
請求項１５に記載の発明は、請求項１３に記載の発明において、
ユーザからシフト幅の入力を受け付ける第３ステップを更に含み、
前記第２ステップにおいて、前記第３ステップで入力されたシフト幅に基づいて、前記原稿画像に対して前記タブの突出方向において前記タブを避けて前記付加画像を付与することを特徴としている。
【００２２】
請求項１６に記載の発明は、請求項１５に記載の発明において、
前記シフト幅は、前記タブの突出幅に相当することを特徴としている。
【００２４】
請求項１７に記載の発明は、請求項１３又は１４に記載の発明において、
前記第２ステップにおいて、前記付加画像を付与する位置が予め設定されておりその位置がタブ側であると判断した場合、前記付加画像のサイズを変更して前記予め設定された位置に付与することにより、前記原稿画像に対して前記タブの突出方向において前記タブを避けて前記付加画像を付与することを特徴としている。
【００２５】
請求項１８に記載の発明は、請求項１７に記載の発明において、
前記第２ステップにおいて、前記付加画像に使用するフォントのサイズを変更することにより、前記付加画像のサイズを変更することを特徴としている。
【発明の効果】
【００２６】
請求項１、２、７、８、１３、１４に記載の発明によれば、タブを有する原稿を読み取った原稿画像に付加画像を付与した画像の出力時に付加画像が欠けることを防止することができる。
【００２７】
請求項３〜４、９〜１０、１５〜１６に記載の発明によれば、ユーザが画像の出力時に付加画像が欠けない位置に付加画像の付与位置を調整することが可能となる。
【００２８】
請求項５、６、１１、１２、１７、１８に記載の発明によれば、付加画像の位置を変えることなく、出力時に付加画像が欠けることを防止することが可能となる。
【００２９】
以下、図を参照して、本発明に係る画像形成装置１について説明する。画像形成装置１は、本発明の画像読取装置を含んで構成されるものである。なお、発明の範囲は、図示例に限定されない。
【００３０】
（第１の実施の形態）
まず、構成を説明する。
図１に、画像形成装置１の全体構成を示す。図２に、画像形成装置１の機能的構成を示す。
画像形成装置１は、図１に示すように、画像読取部１０や画像形成装置本体２０などを備えて構成されており、画像読取部１０は、図１に示すように、画像形成装置本体２０の上部に配置されている。
【００３１】
画像読取部１０は、例えば、図１に示すように、スキャナ１１や、スキャナカバー１２などを備えて構成される。スキャナ１１、スキャナカバー１２は、図２に示す画像形成装置１の制御部１００からの指示に従って動作する。
【００３２】
スキャナ１１は、制御部１００からの指示に従って、自動原稿送り装置としてのスキャナカバー１２により送られた原稿から、原稿読取位置において原稿画像の画像データを読み取り、当該読み取った画像データを、制御部１００に出力する。
具体的には、例えば、スキャナ１１においては、プラテンガラス１１ａ上の原稿読取位置にある原稿に光を投射し、その光の反射光をＣＣＤ（Charge Coupled Device）イメージセンサ１１ｂにより読み取る。そして、ＣＣＤ１１ｂにより読み取った反射光を光電変換し、更にＡ／Ｄ変換して原稿画像の画像データを取得する。
【００３３】
スキャナカバー１２は、スキャナ１１の上部に開閉可能に取り付けられている。スキャナカバー１２は、制御部１００からの指示に従って、原稿をプラテンガラス１１ａ上の原稿読取位置に自動で送る、原稿送り機構を備えている。
具体的には、例えば、スキャナカバー１２は、原稿送りトレイ１２ａに載置された原稿を、一枚ずつ、スキャナ１１のプラテンガラス１１ａ上の原稿読取位置に自動で送る。そして、スキャナ１１による原稿からの画像データの読み取りが完了すると、当該原稿を原稿排紙トレイ１２ｂに送り出すことができるようになっている。
すなわち、スキャナカバー１２によって、スキャナ１１は、一枚又は複数枚の原稿の片面又は両面から、画像データを一挙に読み取ることができるようになっている。
【００３４】
画像形成装置本体２０は、内部に、画像形成部４０、中間転写ベルト５０、給紙部６０、定着部７０などを備えている。画像形成装置本体２０の内部に備えられた各部は、制御部１００からの指示に従って、例えば、画像読取部１０のスキャナ１１において読み取った画像データに基づく画像を、用紙Ｐに形成して出力する。
【００３５】
画像形成部４０は、制御部１００からの指示に従って、画像データに基づく画像（イエロ（Ｙ）の画像、マゼンタ（Ｍ）の画像、シアン（Ｃ）の画像、ブラック（Ｋ）の画像）を形成する。
【００３６】
具体的には、画像形成部４０のうちのイエロ画像形成部４０Ｙは、感光体ドラム４１Ｙや、帯電装置４２Ｙ、露光装置４３Ｙ、現像装置４４Ｙ、クリーニング装置４５Ｙなどを備えて構成されており、イエロ（Ｙ）の画像を形成する。
感光体ドラム４１Ｙは、光が当たると電荷が変化する性質を有する。
帯電装置４２Ｙは、感光体ドラム４１Ｙの外表面を均一に帯電させる。
露光装置４３Ｙは、帯電装置４２Ｙによって帯電された感光体ドラム４１Ｙに光を投射して、静電潜像を形成させる。
現像装置４４Ｙは、露光装置４３Ｙによって静電潜像が形成された感光体ドラム４１Ｙの表面に、帯電したトナー（イエロ（Ｙ）トナー）を付着させて、静電潜像を現像する。
クリーニング装置４５Ｙは、現像装置４４Ｙによって感光体ドラム４１Ｙの表面に付着されたトナーが中間転写ベルト５０に転写された後、感光体ドラム４１Ｙの表面の残留電荷や残留トナーなどを除去して、感光体ドラム４１Ｙの表面を浄化する。
【００３７】
また、画像形成部４０のうちのマゼンタ画像形成部４０Ｍは、イエロ画像形成部４０Ｙと同様に、感光体ドラム４１Ｍや、帯電装置４２Ｍ、露光装置４３Ｍ、現像装置４４Ｍ、クリーニング装置４５Ｍなどを備えて構成されており、マゼンタ（Ｍ）の画像を形成する。
画像形成部４０のうちのシアン画像形成部４０Ｃは、イエロ画像形成部４０Ｙと同様に、感光体ドラム４１Ｃや、帯電装置４２Ｃ、露光装置４３Ｃ、現像装置４４Ｃ、クリーニング装置４５Ｃなどを備えて構成されており、シアン（Ｃ）の画像を形成する。
画像形成部４０のうちのブラック画像形成部４０Ｋは、イエロ画像形成部４０Ｙと同様に、感光体ドラム４１Ｋや、帯電装置４２Ｋ、露光装置４３Ｋ、現像装置４４Ｋ、クリーニング装置４５Ｋなどを備えて構成されており、ブラック（Ｋ）の画像を形成する。
【００３８】
中間転写ベルト５０は、複数のローラによって回転可能に支持されており、制御部１００からの指示に基づく当該複数のローラの回転に伴って、回転するようになっている。また、中間転写ベルト５０は、制御部１００からの指示に基づく一次転写ローラ５１Ｙ，５１Ｍ，５１Ｃ，５１Ｋの動作によって、感光体ドラム４１Ｙ，４１Ｍ，４１Ｃ，４１Ｋに圧着されるようになっている。
すなわち、感光体ドラム４１Ｙ，４１Ｍ，４１Ｃ，４１Ｋの表面に現像されたイエロ（Ｙ）、マゼンタ（Ｍ）、シアン（Ｃ）、ブラック（Ｋ）の各トナー画像は、それぞれ一次転写ローラ５１Ｙ，５１Ｍ，５１Ｃ，５１Ｋによる圧着位置において、中間転写ベルト５０に転写（一次転写）される。また、各トナー画像は、複数のローラの回転に伴う中間転写ベルト５０の回転によって、中間転写ベルト５０に順次重ねて一次転写されて、二次転写ローラ５２ａ，５２ｂへと搬送される。そして、中間転写ベルト５０に順次重ねて転写されたトナー画像は、二次転写ローラ５２ａ，５２ｂによって、用紙Ｐの一方の面に一括して転写（二次転写）される。
【００３９】
給紙部６０は、給紙トレイ６１や、送り出しローラ６２、給紙ローラ６３ａ、搬送ローラ６３ｂ，６３ｃ，６３ｄ、レジストローラ６３ｅ、分岐点６４、反転制御ローラ６５、排紙ローラ６６、排紙トレイ６７などを備えて構成される。給紙部６０は、制御部１００からの指示に従って、給紙トレイ６１に収容された用紙Ｐを、例えば、図１に示すような所定の送り経路（地点Ａから地点Ｉ）に沿って、排紙トレイ６７まで送り出すことができるようになっている。
具体的には、用紙Ｐの片面に画像を形成して出力する場合には、用紙Ｐは、給紙トレイ６１から、地点Ａ，Ｂ，Ｃ，Ｄを経て、分岐点６４へと搬送される。そして、分岐点６４において、地点Ｉ方向に搬送され、排紙トレイ６７に排紙される。
一方、用紙Ｐの両面に画像を形成して出力する場合には、用紙Ｐは、給紙トレイ６１から、地点Ａ，Ｂ，Ｃ，Ｄを経て、分岐点６４へと搬送される。そして、分岐点６４において、地点Ｅ方向に搬送され、地点Ｆ，Ｇ，Ｈ，Ｂ，Ｃ，Ｄを経て、再び、分岐点６４へと搬送される。そして、分岐点６４において、地点Ｉ方向に搬送され、排紙トレイ６７に排紙される。
【００４０】
給紙トレイ６１は、具体的には、例えば、図１に示すように、第１の給紙トレイ６１ａ、第２の給紙トレイ６１ｂ、第３の給紙トレイ６１ｃなどからなる。第１の給紙トレイ６１ａには、第１の用紙Ｐａが収容されている。第２の給紙トレイ６１ｂには、第２の用紙Ｐｂが収容されている。第３の給紙トレイ６１ｃには、第３の用紙Ｐｃが収容されている。なお、第１の用紙Ｐａは、タブ紙であり、第２の用紙Ｐｂは、タブの付いていない通常用紙であるとする。
【００４１】
定着部７０は、例えば、二次転写ローラ５２ａ，５２ｂによって中間転写ベルト５０から画像が二次転写された用紙Ｐに、すなわち、画像が形成された用紙Ｐに、熱をかける。この定着部７０による加熱によって、用紙Ｐに形成された画像は、用紙Ｐに定着するようになっている。
【００４２】
画像形成装置１の制御部１００は、図２に示すように、画像読取部１０や、操作部２００、画像処理部３００、画像形成出力部４００、ＨＤＤ（Hard Disc）５００、通信部６００などと接続されている。
【００４３】
制御部１００は、図２に示すように、ＣＰＵ（Central Processing Unit）１１０や、ＲＡＭ（Random Access Memory）１２０、記憶部１３０などを備えて構成される。
【００４４】
ＣＰＵ１１０は、記憶部１３０に記憶された画像形成装置１用のシステムプログラム及び各種処理プログラムに従って各種の制御動作を行う。例えば、ＣＰＵ１１０は、記憶部１３０に記憶されているスタンプ付与画像出力処理プログラムＡに従って、後述するスタンプ付与画像出力処理Ａ（図７参照）を実行する。
【００４５】
ＲＡＭ１２０は、ＣＰＵ１１０によって実行されるシステムプログラムや処理プログラムなどを展開するためのプログラム格納領域や、入力データや上記処理プログラムが実行される際に生じる処理結果などを格納するデータ格納領域などを備える。
【００４６】
記憶部１３０は、画像形成装置１で実行可能なシステムプログラム、当該システムプログラムで実行可能なスタンプ付与画像出力処理プログラムＡを始めとする各種処理プログラム、これら各種処理プログラムを実行する際に使用されるデータ、ＣＰＵ１１０によって演算処理された処理結果のデータなどを記憶する。プログラムは、コンピュータが読み取り可能なプログラムコードの形で記憶部１３０に記憶されている。また、記憶部１３０は、操作部２００から入力された設定内容、例えば、原稿セット方向、原稿サイズ、原稿の種類、原稿がタブ紙である場合のタブ突出幅（以下、タブ幅と称する）、スタンプ機能におけるスタンプ画像の付与位置（以下、スタンプ位置と称する）、スタンプ画像の種類、スタンプ位置のシフト幅を始めとする各種設定情報を記憶する設定情報記憶部１３１を有する。
【００４７】
ここで、画像形成装置１におけるスタンプ画像は、スキャナ１１で読み取られた原稿画像に付与される付加画像であり、スタンプ機能が設定されると、スタンプ付与画像出力処理Ａが実行され（図７参照）、原稿画像に対し、付加画像としてのスタンプ画像が付与される。スタンプ画像には、読み取りを行った日付、時刻、ページ番号、書類番号（ナンバリング）等がある。スタンプ画像が付与された画像は、当該画像形成装置１で読み取られた画像であることの証明となる。なお、これらのスタンプのうち、ナンバリングは米国裁判所におけるディスカバリー手続において証拠に付与される連番にも利用可能である。そこで、ナンバリングについては、読み取った画像の正真性を確保するために、画像の読み取りから外部よりアクセス可能な、或いは再利用可能な画像データとして保存されるまでの過程においてスタンプを付与することが好ましい。また日付、時刻についても、読み取り時点においてその画像が存在したことを証する目的から、同様に、画像データとして保存されるまでの過程においてスタンプを付与することが好ましい。
【００４８】
操作部２００は、例えば、図２に示すように、液晶表示部２１０、タッチパネル２２０、各種入力ボタン２３０などを備えて構成される。
【００４９】
液晶表示部２１０は、制御部１００から入力される表示信号に従って所与の表示処理を行う。本実施の形態における液晶表示部２１０は、各種設定画面、例えば、メインメニュー画面２１１（図３参照）、原稿設定画面（図示せず）、スタンプ詳細設定画面２１２〜２１３（図４、５参照）、シフト幅設定画面２１４（図６参照）等を表示する。
【００５０】
タッチパネル２２０は、液晶表示部２１０の上面を覆うように設置されており、ユーザの指などを用いた操作によって押圧入力された所望の入力位置を検出し、その検出信号を制御部１００に出力する。本発明におけるタッチパネル２２０は、例えば、ユーザが、上述のメインメニュー画面２１１、原稿設定画面、スタンプ機能設定画面２１２、２１３、シフト幅設定画面２１４等から、原稿としてのタブ紙に関する設定情報、スタンプ機能に関する設定情報を入力する際に使用される。
【００５１】
図３に、メインメニュー画面２１１の一例を示す。図３に示すように、メインメニュー画面２１１には、原稿に関する設定画面への移行を指示するための原稿設定ボタンｋ４１、スタンプ機能に関する設定画面への移行を指示するためのスタンプ機能設定ボタンｋ４２等の各種操作ボタンが表示される。
【００５２】
図３に示すメインメニュー画面２１１から原稿設定ボタンｋ４１が押下されると、図示しない原稿設定画面が表示される。この原稿設定画面からの入力に応じて、原稿セット方向（原稿セット時の原稿の天地方向）、特殊原稿の使用（タブ紙等）、原稿サイズ、タブ紙の場合のタブ突出幅（以下、タブ幅と称する）等が設定される。
【００５３】
図３に示すメインメニュー画面２１１からスタンプ機能設定ボタンｋ４２が押下されると、スタンプ詳細設定画面２１２が表示される。図４に、スタンプ詳細設定画面２１２の一例を示す。スタンプ詳細設定画面２１２には、図４に示すように、読み取った原稿画像に付与するスタンプ画像の種類を選択入力するためのボタンが表示される。このボタンのうち、一のボタンが押下されると、選択されたボタンに対応するスタンプ画像の詳細設定を行うためのスタンプ詳細設定画面２１３が表示される。
【００５４】
図５に、スタンプ画像の種類として「日付、時刻」が選択された場合に表示されるスタンプ詳細設定画面２１３の一例を示す。スタンプ詳細設定画面２１３においては、図５に示すように、「日付、時刻」を表すスタンプ画像の種類を選択入力するためのボタン群ｇ４１、スタンプ位置を選択入力するためのボタン群ｇ４２等が表示され、押下されたボタンに応じてスタンプ画像の種類、スタンプ位置がそれぞれ設定される。なお、各スタンプ位置（左上、中央上、右上、左中、中央、右中、左下、中央下、右下）は、スタンプ画像を付与する原稿画像において、上述の原稿セット方向で「天」と指定された向きを上としたときの位置である。本実施の形態において、デフォルトでは、左上、中央上、右上のスタンプ位置は、それぞれ上端位置が原稿画像の上端位置と一致する。同様に、左下、中央下、右下のスタンプ位置は、それぞれ下端位置が原稿画像の下端位置と一致する。左上、左中、左下のスタンプ位置は、それぞれ左端位置が原稿画像の左端位置と一致する。右上、右中、右下のスタンプ位置は、それぞれ右端位置が原稿画像の右端位置と一致する。
【００５５】
スタンプ詳細設定画面２１３から位置調整ボタンｋ４３が押下されると、シフト幅設定画面２１４が表示される。このシフト幅設定画面２１４は、原稿がタブ紙原稿であり、タブ側にスタンプ画像を付与する場合に、ユーザからスタンプ位置のシフト幅（原稿画像のタブ側の側端からのスタンプ位置のシフト幅）の入力を受け付ける画面である。シフト幅設定画面２１４には、図６に示すように、自動ボタンｋ４４及び手動調整ボタンｋ４５等が表示される。ユーザは、自動ボタンｋ４４を押下することで、タブ側の側端からのスタンプ位置のシフト幅としてタブ幅を設定することができる。ユーザが手動調整ボタンｋ４５を押下してシフト幅を入力することで、ユーザの入力したシフト幅だけタブ側の側端からスタンプ位置をシフトさせる設定を行うことができる。
【００５６】
なお、タブ幅以下のシフト幅が入力された場合には、液晶表示部２１０の画面上に警告メッセージを表示することが好ましい。
【００５７】
各種入力ボタン２３０は、ユーザのボタン操作に伴う押下信号を制御部１００に出力する。各種入力ボタン２３０は、具体的には、例えば、図３に示すように「スタート」ボタン２３１などを含む。本発明における各種入力ボタン２３０は、例えば、ユーザが、制御部１００に、画像データに基づく画像を出力するよう指示する際などに使用される。
【００５８】
画像処理部３００は、例えば、スキャナ１１によって読み取られた原稿画像の画像データに対して、所与の画像処理を行う。
【００５９】
画像形成出力部４００は、制御部１００からの指示に従って、用紙Ｐに画像を形成して出力する。画像形成出力部４００は、具体的には、画像形成装置本体２０の内部に備えられている画像形成部４０、中間転写ベルト５０、給紙部６０、定着部７０などを備えて構成される。
【００６０】
ＨＤＤ（Hard Disc）５００は、制御部１００からの指示に従って、出力用画像の画像データを保存する。
通信部６００は、ＮＩＣ（Network Interface Card）等により構成され、通信ネットワークを介して接続されたＰＣ（Personal Computer）等の外部機器と各種データを送受信する。
【００６１】
次に、本実施の形態における画像形成装置１の動作について説明する。
図７に、制御部１００により実行されるスタンプ付与画像出力処理Ａを示す。当該処理は、制御部１００のＣＰＵ１１０と記憶部１３０に記憶されているスタンプ付与画像出力処理プログラムＡとの協働によるソフトウエア処理により実現される。
【００６２】
まず、操作部２００のメインメニュー画面２１１、スタンプ機能設定画面２１２、２１３、シフト幅設定画面２１４、図示しない原稿設定画面等を介してユーザからのスタンプ機能、原稿設定等の入力が受け付けられ、入力された内容が設定情報記憶部１３１に記憶され、設定される（ステップＳ１）。操作部２００を介してのユーザによるシフト幅の入力は、当該ステップにより受け付けられ、設定される。
【００６３】
次いで、操作部２００のスタートボタンが押下されると、画像読取部１０において、原稿送りトレイ１２ａにセットされた原稿がスキャナカバー１２によりスキャナ１１に搬送され、搬送された原稿がスキャナ１１により読み取られて原稿画像の画像データが取得される（ステップＳ２）。画像読取部１０における原稿の読み取りにおいては、まず、設定情報記憶部１３１に記憶された原稿の種類、原稿セット方向及び原稿サイズが参照され、スキャナ１１における読取領域が設定される。読取領域は、定型原稿の場合、原稿セット方向及び原稿サイズに応じて予め定められた領域となり、タブ紙原稿の場合、定型原稿の読取領域のタブ側にタブ幅分を加算した領域が読取領域となる。なお、タブ紙を原稿として使用する場合、原稿送りトレイ１２ａにタブ紙原稿をセットする方向が予め定められている（原稿の搬送方向後端にタブがくるようにセットされる）ため、スキャナ１１において読み取って得られた原稿画像におけるタブ側の辺は、一義に定められる。読取領域が設定されると、スキャナ１１においては、設定された読取領域でスキャナカバー１２から送られてきた原稿が読み取られ、得られた原稿画像の画像データは、画像処理部３００に出力される。
【００６４】
画像処理部３００において、原稿画像の画像データは、スキャン領域の端部のトリミングや、色彩、明るさ及びコントラストの調整等の各種画像処理が施される（ステップＳ３）。画像処理済みの原稿画像の画像データは、ＲＡＭ１２０に一時記憶され、以下に示すステップＳ４〜Ｓ８の処理が施され、操作部２００からの設定に基づき、スタンプが付与された出力用画像の画像データの生成が行われる。
【００６５】
ステップＳ４〜Ｓ８においては、まず、原稿が通常紙（定型又は不定型）であったか否かが判断される。具体的には、設定情報記憶部１３１が参照され、原稿としてタブ紙が設定されていなければ原稿が通常紙であったと判断される。原稿が通常紙であったと判断された場合（ステップＳ４；ＹＥＳ）、処理はステップＳ８に移行する。
【００６６】
一方、原稿が通常紙ではなく、タブ紙であったと判断された場合（ステップＳ４；ＮＯ）、設定情報記憶部１３１が参照され、設定されたスタンプ位置が原稿画像のタブ側であるか否かが判断される（ステップＳ５）。設定されたスタンプ位置がタブ側であると判断された場合（ステップＳ５；ＹＥＳ）、設定情報記憶部１３１が参照され、ユーザによりスタンプ位置のシフト幅が設定されているか否かが判断され、ユーザによりスタンプ位置のシフト幅が設定されている場合（ステップＳ６；ＹＥＳ）、設定されているシフト幅に基づいて、スタンプ位置がシフトされ（ステップＳ７）、処理はステップＳ８に移行する。
【００６７】
ステップＳ７の処理について、図８を用いて説明する。図８（ａ）において、領域Ｒ１（図中実線Ｒ１で囲まれた領域）は、ステップＳ２において原稿を読み取る際のスキャナ１１の読取領域であり、領域Ｒ２（図中破線Ｒ２で囲まれた領域）は、ステップＳ３において、読み取った原稿画像の画像データをトリミングした結果得られた画像データの領域である。領域Ｒ３（図中太線Ｒ３で囲まれた領域）は、タブ紙の領域である。幅ｌは、タブ幅を示す。幅ｌ１は、ユーザが設定したシフト幅を示す。
【００６８】
原稿画像のタブ側にスタンプ画像を付与して出力用画像を生成した場合、画像形成出力部４００において出力用画像に基づきタブ紙上にスタンプ画像を付与すると、スタンプ画像が欠けてしまう場合がある（図１３参照）。そこで、画像形成装置１においては、トリミング後の原稿画像の領域Ｒ２に対して、タブの突出方向（タブの突出と平行する方向。図８（ａ）の矢印Ａ１の方向。）においてタブを避けてスタンプ画像を付与することで、スタンプ画像を付与する位置を領域Ｒ２内の図中白で示す領域内とし、スタンプ画像の欠損を回避する。本実施の形態においては、ステップＳ７において、スタンプ位置におけるタブ側の位置を領域Ｒ２のタブ側の側端の辺ｒ２０の位置からタブ側と反対側の辺ｒ２１に向かってユーザにより設定されたシフト幅ｌ１分シフトした位置に変更することで、タブの突出方向においてタブを避けてスタンプ画像を付与する。
【００６９】
図７に戻り、設定されたスタンプ位置がタブ側ではないと判断された場合（ステップＳ５；ＮＯ）、若しくはユーザによりスタンプ位置のシフト幅が設定されていないと判断された場合（ステップＳ６；ＮＯ）、処理はステップＳ８に移行する。
【００７０】
ステップＳ８においては、設定情報記憶部１３１に設定されている種類のスタンプ画像が生成され、トリミング後の原稿画像の画像領域におけるスタンプ位置に付与され、出力用画像（スタンプ画像が付与された原稿画像）の画像データが生成される。なお、定型スタンプのように予め定められた画像を付与する場合、付与すべき情報を文字データとして保存しておき、この文字データを読み出すと共にフォントデータを読み出してスタンプ画像データを生成して原稿画像に付与すればよく、この生成処理がステップＳ８に含まれる。一方、日付、時刻、ページ番号、ナンバリングのような、付与すべき文字画像が変化するような場合、付与すべき文字データを演算し、この演算結果に基づいてフォントデータからスタンプ画像データを生成し、このスタンプ画像データを原稿画像に付与すればよく、この生成処理がステップＳ８に含まれる。特に、ページ番号、ナンバリングの場合、ページ毎に付与すべき番号が変化するので、カウンタを設けて各原稿に付与すべき数字を把握するようにすればよい。生成された出力用画像の画像データは画像形成出力部４００に出力され、原稿の種類に応じた給紙トレイから用紙Ｐが給紙され、給紙された用紙Ｐ上に出力用画像が形成されて出力され（ステップＳ９）、本処理は終了する。
【００７１】
図７のステップＳ７の処理を施して生成された出力用画像を印刷すると、図８（ｂ）に示すように、スタンプ画像全体をタブ紙に印刷することが可能となる。
【００７２】
以上説明したように、本実施の形態における画像形成装置１によれば、スキャナ１１により読み取った原稿画像がタブ紙原稿であり、かつ、設定されたスタンプ位置がタブ側である場合、ユーザにより設定されたシフト幅ｌ１に基づいて、スタンプ位置を原稿画像のタブ側の側端の辺ｒ２０の位置からタブ側と反対側の辺ｒ２１に向かってシフト幅ｌ１分シフトし、原稿画像におけるシフト後のスタンプ位置にスタンプ画像を付与して出力用画像を生成する。従って、タブ原稿を読み取った画像にスタンプ画像を付与した出力用画像をタブ紙上に印刷した際に、スタンプ画像が欠けてしまうことを防止することが可能となる。
【００７３】
（第２の実施の形態）
以下、本発明の第２の実施の形態について説明する。
第２の実施の形態における画像形成装置１の構成は、第１の実施の形態と略同様であるので、相違点のみを説明する。
【００７４】
本実施の形態において、図５に示すスタンプ詳細設定画面２１３から位置調整ボタンｋ４３が押下されると、図９に示すシフト幅設定画面２１５が表示される。このシフト幅設定画面２１５は、ユーザからのスタンプ位置のシフト幅の入力を受け付ける画面である。この画面からユーザがシフト幅を入力することで、ユーザの入力したシフト幅だけスタンプ位置をシフトさせる設定を行うことができる。なお、選択されたスタンプ位置によって、シフト幅を入力可能な向きが決まっており、原稿画像の領域からはみ出る向きへのシフト幅は入力不可能となっている。例えば、スタンプ位置として右上を指定した場合、右向き及び上向きに対するシフト幅の入力は不可能となっている。
【００７５】
次に、本実施の形態における画像形成装置１の動作について説明する。
図１０に、制御部１００により実行されるスタンプ付与画像出力処理Ｂを示す。当該処理は、制御部１００のＣＰＵ１１０と記憶部１３０に記憶されているスタンプ付与画像出力処理プログラムＢとの協働によるソフトウエア処理により実現される。
【００７６】
まず、操作部２００のメインメニュー画面２１１、スタンプ機能設定画面２１２、２１３、シフト幅設定画面２１５、図示しない原稿設定画面等を介してユーザからのスタンプ機能、原稿設定等の入力が受け付けられ、入力された内容が設定情報記憶部１３１に記憶され、設定される（ステップＳ１１）。操作部２００を介してのユーザによるシフト幅の入力は、当該ステップにより受け付けられ、設定される。
【００７７】
次いで、操作部２００のスタートボタンが押下されると、画像読取部１０において、原稿送りトレイ１２ａにセットされた原稿がスキャナカバー１２によりスキャナ１１に搬送され、搬送された原稿がスキャナ１１により読み取られて原稿の画像データが取得される（ステップＳ１２）。画像読取部１０における原稿の読み取りにおいては、まず、設定情報記憶部１３１に記憶された原稿の種類、原稿セット方向及び原稿サイズが参照され、スキャナ１１における読取領域が設定される。読取領域は、定型原稿の場合、原稿セット方向及び原稿サイズに応じて予め定められた領域となり、タブ紙原稿の場合、定型原稿の読取領域のタブ側にタブ幅分を加算した領域が読取領域となる。なお、タブ紙原稿の場合、原稿送りトレイ１２ａにタブ紙原稿をセットする方向が予め定められている（原稿の搬送方向後端にタブがくるようにセットされる）ため、原稿画像におけるタブ側の辺は、一義に定められる。読取領域が設定されると、スキャナ１１においては、設定された読取領域でスキャナカバー１２から送られてきた原稿が読み取られ、得られた原稿画像の画像データは、画像処理部３００に出力される。
【００７８】
画像処理部３００において、原稿画像の画像データは、スキャン領域の端部のトリミングや、色彩、明るさ及びコントラストの調整等の各種画像処理が施される（ステップＳ１３）。画像処理済みの画像データは、ＲＡＭ１２０に一時記憶され、以下に示すステップＳ１４〜Ｓ２１の処理が施され、操作部２００からの設定に基づき、スタンプが付与された出力用画像の画像データの生成が行われる。
【００７９】
ステップＳ１４〜２１においては、まず、設定情報記憶部１３１が参照され、原稿が通常紙（定型又は不定型）であったか否かが判断される。具体的には、設定情報記憶部１３１が参照され、原稿としてタブ紙が設定されていなければ原稿が通常紙であったと判断される。原稿が通常紙であったと判断された場合（ステップＳ１４；ＹＥＳ）、ユーザによりスタンプ位置のシフト幅が設定されているか否かが判断され、設定されていないと判断された場合（ステップＳ１５；ＮＯ）、処理はステップＳ２１に移行する。ユーザによりスタンプ位置のシフト幅が設定されていると判断された場合（ステップＳ１５；ＹＥＳ）、設定されたシフト幅に基づいて、スタンプ位置がシフトされ（ステップＳ１６）、処理はステップＳ２１に移行する。
【００８０】
一方、原稿としてタブ紙原稿が設定されていると判断された場合（ステップ１４；ＮＯ）、設定情報記憶部１３１が参照され、設定されたスタンプ位置がタブ側であるか否かが判断される（ステップＳ１７）。設定されたスタンプ位置がタブ側ではないと判断された場合（ステップＳ１７；ＮＯ）、処理はステップＳ１５に移行し、ステップＳ１５、Ｓ１６の処理が実行され、ステップＳ２１に移行する。
【００８１】
設定されたスタンプ位置がタブ側であると判断された場合（ステップＳ１７；ＹＥＳ）、設定情報記憶部１３１が参照され、ユーザによりシフト幅が設定されているか否かが判断され、ユーザによりシフト幅が設定されていると判断された場合（ステップＳ１８；ＹＥＳ）、原稿のタブ幅及びユーザにより設定されたシフト幅に基づいて、スタンプ位置がシフトされ（ステップＳ１９）、処理はステップＳ２１に移行する。ユーザによりシフト幅が設定されていないと判断された場合（ステップＳ１８；ＮＯ）、スタンプ位置がタブ幅に基づいて、即ち、スタンプ位置がタブ側の側端の位置から反対側の辺に向かってタブ幅分シフトされ（ステップＳ２０）、処理はステップＳ２１に移行する。
【００８２】
ステップＳ１９の処理について、図１１を用いて説明する。図１１（ａ）において、領域Ｒ１（図中実線Ｒ１で囲まれた領域）は、ステップＳ１２において原稿を読み取る際のスキャナ１１の読取領域であり、領域Ｒ２（図中破線Ｒ２で囲まれた領域）は、ステップＳ１３において、読み取った原稿画像の画像データをトリミングした結果得られた画像データの領域である。領域Ｒ３（図中太線Ｒ３で囲まれた領域）は、タブ紙の領域である。幅ｌは、タブ幅を示す。幅ｍ１は、ユーザが左向きに設定したシフト幅、幅ｍ２は、ユーザが下向きに設定したシフト幅を示す。
【００８３】
原稿画像のタブ側にスタンプ画像を付与して出力用画像を生成した場合、画像形成出力部４００において出力用画像に基づきタブ紙上にスタンプ画像を付与すると、スタンプ画像が欠けてしまう場合がある（図１３参照）。そこで、画像形成装置１においては、トリミング後の原稿画像の領域Ｒ２に対して、タブの突出方向（タブの突出と平行する方向。図１１（ａ）の矢印Ａ１の方向。）においてタブを避けてスタンプ画像を付与することで、スタンプ画像を付与する位置を領域Ｒ２内の図中白で示す領域内とし、スタンプ画像の欠損を回避する。本実施の形態においては、図１１（ａ）に示すように、ユーザからシフト幅が設定されている場合、ステップＳ１９において、スタンプ位置を領域Ｒ２のタブ側の側端の辺ｒ２０の位置からタブ側と反対側の辺ｒ２１に向かってタブ幅とユーザにより設定されたシフト幅ｍ１を加算した分シフトした位置に変更することで、タブの突出方向においてタブを避けてスタンプ画像を付与する。また、ユーザによりタブ側以外の側端からのシフト幅が設定されている場合、スタンプ位置を設定されたシフト幅分シフトした位置に変更することで、ユーザが調整した位置にスタンプ画像を付与する。
【００８４】
また、ユーザからシフト幅が設定されていない場合、ステップＳ２０において、スタンプ位置を領域Ｒ２のタブ側の側端の辺ｒ２０位置からタブ側と反対側の辺ｒ２１に向かってタブ幅分シフトした位置に変更することで、タブの突出方向においてタブを避けてスタンプ画像を付与する。
【００８５】
図１０に戻り、ステップＳ２１においては、設定情報記憶部１３１に設定されている種類のスタンプ画像の画像データが生成され、トリミング後の原稿画像の画像データにおけるスタンプ位置に付与され、出力用画像の画像データが生成される。なお、スタンプ画像の画像データ生成には、図７のステップＳ８で説明したのと同様の処理が含まれる。生成された出力用画像の画像データは画像形成出力部４００に出力され、原稿の種類に応じた給紙トレイから用紙Ｐが給紙され、給紙された用紙Ｐ上に出力用画像が形成されて出力され（ステップＳ２２）、本処理は終了する。
【００８６】
以上説明したように、第２の実施の形態における画像形成装置１によれば、スキャナ１１により読み取った原稿画像がタブ紙原稿であり、かつ、設定されたスタンプ位置がタブ側である場合、ユーザによりシフト幅ｍ１が設定されていない場合には、タブ幅ｌに基づいて、ユーザによりシフト幅ｍ１が設定されている場合には、タブ幅ｌ及び設定されているシフト幅ｍ１に基づいて、スタンプ位置をタブ側の側端の辺ｒ２０の位置から反対側の辺ｒ２１に向かってシフトし、原稿画像におけるシフト後のスタンプ位置にスタンプ画像を付与して出力用画像を生成する。従って、タブ原稿を読み取った画像にスタンプ画像を付与した出力用画像をタブ紙上に印刷した際に、スタンプ画像が欠けてしまうことを防止することが可能となる。
【００８７】
（第３の実施の形態）
以下、第３の実施の形態について説明する。
第３の実施の形態における画像形成装置１の構成は、上述の第１、２の実施の形態と略同様であるので説明を省略し、動作について説明する。
【００８８】
図１２に、制御部１００により実行されるスタンプ付与画像出力処理Ｃを示す。当該処理は、制御部１００のＣＰＵ１１０と記憶部１３０に記憶されているスタンプ付与画像出力処理プログラムＣとの協働によるソフトウエア処理により実現される。
【００８９】
まず、操作部２００のメインメニュー画面２１１、スタンプ機能設定画面２１２、２１３、図示しない原稿設定画面等を介してユーザからのスタンプ機能、原稿設定等の入力が受け付けられ、入力された内容が設定情報記憶部１３１に記憶され、設定される（ステップＳ３１）。
【００９０】
次いで、操作部２００のスタートボタンが押下されると、画像読取部１０において、原稿送りトレイ１２ａにセットされた原稿がスキャナカバー１２によりスキャナ１１に搬送され、搬送された原稿がスキャナ１１により読み取られて原稿の画像データが取得される（ステップＳ３２）。画像読取部１０における原稿の読み取りにおいては、まず、設定情報記憶部に記憶された原稿の種類、原稿セット方向及び原稿サイズが参照され、スキャナ１１における読取領域が設定される。読取領域は、定型原稿の場合、原稿セット方向及び原稿サイズに応じて予め定められた領域となり、タブ紙原稿の場合、定型原稿の読取領域のタブ側端面にタブ幅分を加算した領域が読取領域となる。なお、タブ紙を原稿として使用する場合、原稿送りトレイ１２ａにタブ紙原稿をセットする方向が予め定められている（原稿の搬送方向後端にタブがくるようにセットされる）ため、原稿画像におけるタブ側は、一義に定められる。読取領域が設定されると、スキャナ１１においては、設定された読取領域でスキャナカバー１２から送られてきた原稿が読み取られ、得られた原稿画像の画像データは、画像処理部３００に出力される。
【００９１】
画像処理部３００において、原稿画像の画像データは、スキャン領域の端部のトリミングや、色彩、明るさ及びコントラストの調整等の各種画像処理が施される（ステップＳ３３）。画像処理済みの画像データは、ＲＡＭ１２０に一時記憶され、以下に示すステップＳ３４〜Ｓ３７の処理が施され、操作部２００からの設定に基づき、スタンプが付与された出力用画像データの生成が行われる。
【００９２】
ステップＳ３４〜Ｓ３７においては、まず、原稿が通常紙（定型又は不定型）であったか否かが判断される。具体的には、設定情報記憶部１３１が参照され、原稿としてタブ紙が設定されていなければ原稿が通常紙であったと判断される。原稿が通常紙であったと判断された場合（ステップＳ３４；ＹＥＳ）、処理はステップＳ３７に移行する。
【００９３】
一方、原稿が通常紙ではなく、タブ紙であったと判断された場合（ステップＳ３４；ＮＯ）、設定情報記憶部１３１が参照され、設定されたスタンプ位置が原稿画像のタブ側であるか否かが判断される（ステップＳ３５）。設定されたスタンプ位置がタブ側であると判断された場合（ステップＳ３５；ＹＥＳ）、タブ幅に基づいて、スタンプ画像に使用するフォントサイズの設定が変更され（ステップＳ３６）、処理はステップＳ３７に移行する。ここで、スタンプ画像に使用されるフォントサイズは、予め設定されているが、タブ側にスタンプ位置が設定されている場合、図１３に示すように、そのままのフォントサイズでスタンプ画像を付与した場合、スタンプ画像が欠けてしまう可能性がある。そこで、ステップＳ３６においては、フォントサイズを予め定められたサイズより小さいものに変更することによりスタンプ画像のサイズを小さいものに変更し、タブの突出方向においてタブを避けてスタンプ画像が付与されるようにする。例えば、トリミングされた原稿画像におけるタブ側の辺及びこれと反対側の辺との距離をＬ、タブ幅をｌとした場合、新フォントサイズを、次の式により求めることができる。
〈式〉（新フォントサイズ）＝（予め定められたフォントサイズ）×（Ｌ−ｌ）／Ｌ
【００９４】
新フォントサイズを画像形成装置１が有している場合、スタンプ画像の生成に使用するフォントサイズが新フォントサイズに変更される。新フォントサイズを画像形成装置１が有していない場合、スタンプ画像の生成に使用するフォントサイズが、画像形成装置１が有するフォントサイズのうち新フォントサイズに最も近く、かつ、新フォントサイズより小さいフォントサイズに変更される。
【００９５】
一方、設定されたスタンプ位置がタブ側ではないと判断された場合（ステップＳ３５；ＮＯ）、処理はステップＳ３７に移行する。
【００９６】
ステップＳ３７においては、設定されたフォントサイズで設定情報記憶部１３１に設定されている種類のスタンプの画像データが生成され、トリミング後の原稿画像の画像データにおける予め設定されたスタンプ位置に付与され、出力用画像の画像データが生成される。なお、スタンプ画像の画像データの生成には、図７のステップＳ８で説明したのと同様の処理が含まれる。生成された出力用画像の画像データは画像形成出力部４００に出力され、原稿の種類に応じた給紙トレイから用紙Ｐが給紙され、給紙された用紙Ｐ上に出力用画像が形成されて出力され（ステップＳ３８）、本処理は終了する。
【００９７】
以上説明したように、第３の実施の形態における画像形成装置１によれば、スキャナ１１により読み取った原稿画像がタブ紙原稿であり、かつ、設定されたスタンプ位置がタブ側である場合、タブ幅に基づきスタンプ画像の生成に使用するフォントサイズを小さいものに変更してスタンプ画像を生成することにより、原稿画像に付与するスタンプ画像のサイズをタブ幅に応じて縮小する。従って、タブ原稿を読み取った画像にスタンプ画像を付与した出力用画像をタブ紙上に印刷した際に、スタンプ画像が欠けてしまうことを防止することが可能となる。
【００９８】
以上、本発明の第１〜第３の実施の形態について説明してきたが、上記第１〜第３の実施の形態における記述内容は、本発明に係る画像形成装置１の好適な一例であり、これに限定されるものではない。
【００９９】
例えば、上記第１〜第３の実施の形態においては、タブ紙原稿を画像読取部１０で読み取った原稿画像にスタンプ画像を付与した出力用画像を画像形成出力部４００から出力する場合を例にとり説明したが、これに限定されず、例えば、出力用画像の画像データをＨＤＤ５００に出力して保存しておくようにしてもよいし、通信部６００を介して、ネットワーク接続されたＰＣ等の外部機器に出力するようにしてもよい。保存したり外部機器に出力したりする場合、汎用ＰＣで閲覧可能なファイル形式、例えば、ＰＤＦ（Portable Document Format）ファイルとしてもよく、この場合、汎用ＰＣにおいてファイルを編集操作されることを避けるために利用制限を設定するようにしても良い。ファイルとして保存、出力する場合、読み取り原稿１ページ毎に別ファイルとしても良く、一連で読み取った複数ページの原稿を一つのファイルとしても良い。
【０１００】
また、上記第１及び第２の実施の形態においては、タブ幅やユーザにより設定されたシフト幅に基づいて、スタンプ画像をタブ側の側端の位置から反対側の辺に向かってシフトするために、タブ幅やユーザにより設定されたシフト幅に基づいて原稿画像上のスタンプ位置をシフト（変更）し、シフト後の位置にスタンプ画像を付与したが、第３の実施の形態のステップＳ３６で説明したように、タブ幅やユーザにより設定されたシフト幅に基づいてスタンプ画像の生成に使用するフォントサイズを変更し、変更したフォントサイズのフォントデータを用いてスタンプ画像を生成して予め設定されたスタンプ位置に付与することで、スタンプ画像の側端の位置がシフトされるようにしてもよい。
【０１０１】
その他、画像形成装置１の細部構成及び細部動作に関しても、本発明の趣旨を逸脱することのない範囲で適宜変更可能である。
【図面の簡単な説明】
【０１０２】
【図１】本発明に係る画像形成装置１の内部構成を示す断面図である。
【図２】図１の画像形成装置１の機能的構成を示すブロック図である。
【図３】図２の操作部２００の平面図であり、液晶表示部２１０に表示されるメインメニュー画面２１１の一例を示す図である。
【図４】図２の液晶表示部２１０に表示されるスタンプ機能設定画面２１２の一例を示す図である。
【図５】図２の液晶表示部２１０に表示されるスタンプ機能設定画面２１３の一例を示す図である。
【図６】図２の液晶表示部２１０に表示されるシフト幅設定画面２１４の一例を示す図である。
【図７】図１の制御部１００において実行されるスタンプ付与画像出力処理Ａを示すフローチャートである。
【図８】原稿がタブ紙原稿である場合のスタンプ付与画像出力処理Ａの処理内容を模式的に示す図である。
【図９】図２の液晶表示部２１０に表示されるシフト幅設定画面２１５の一例を示す図である。
【図１０】図１の制御部１００において実行されるスタンプ付与画像出力処理Ｂを示すフローチャートである。
【図１１】原稿がタブ紙原稿である場合のスタンプ付与画像出力処理Ｂの処理内容を模式的に示す図である。
【図１２】制御部１００により実行されるスタンプ付与画像出力処理Ｃを示すフローチャートである。
【図１３】従来技術においてタブ紙を原稿として読み取った原稿画像に付加画像を付与した画像を示す図である。
【符号の説明】
【０１０３】
１  画像形成装置
１０  画像読取部
１１  スキャナ
１２  スキャナカバー
２０  画像形成装置本体
６１ａ  第１の給紙トレイ
６１ｂ  第２の給紙トレイ
１００  制御部
１１０  ＣＰＵ
１２０  ＲＡＭ
１３０  記憶部
２００  操作部
２２０  タッチパネル
２３０  各種入力ボタン
３００  画像処理部
４００  画像形成出力部
５００  ＨＤＤ
【図１】
0004548283.tif 000002
【図２】
0004548283.tif 000003
【図３】
0004548283.tif 000004
【図４】
0004548283.tif 000005
【図５】
0004548283.tif 000006
【図６】
0004548283.tif 000007
【図７】
0004548283.tif 000008
【図８】
0004548283.tif 000009
【図９】
0004548283.tif 000010
【図１０】
0004548283.tif 000011
【図１１】
0004548283.tif 000012
【図１２】
0004548283.tif 000013
【図１３】
0004548283.tif 000014